(57)【特許請求の範囲】
【請求項１】
容器口部（３１）の外周面に突周設した係止あご部（３２）にアンダーカット結合する係止突条（６）を、内周面下端部に突周設した外筒（５）と、前記容器口部（３１）に密嵌入する内筒（１５）を備え、前記容器口部（３１）に密に組付いて注出口を形成するキャップ本体（１）と、前記外筒（５）に、該外筒（５）の前側外周面の下端部に破断不能に設けた連結片（７）および、前記外筒（５）の外周面に破断可能に設けた弱化部（８）を介して連設され、前記外筒（５）を間に隙間を位置させて囲むリング体（３）と、該リング体（３）の後側上端部にヒンジ（４）を介して一体設された蓋体（２）とから成り、前記ヒンジ（４）に近接する位置に弱化部（８）の第一欠部（１０）を設け、前記キャップ本体（１）が容器口部（３１）に組付いた状態で、前記外筒（５）とリング体（３）とが当接もしくは近接し、前記容器口部（３１）に対する外筒（５）の組付きを、人手による前記蓋体（２）の強引な引上げ操作により取外し可能と設定した合成樹脂製のヒンジキャップ。
【請求項２】
外筒（５）の肉厚を、強い引上げ力が作用すると、係止突条（６）と係止あご部（３２）のアンダーカット結合を解除させる程度の撓み変形可能な値に設定した請求項１記載のヒンジキャップ。
【請求項３】
外筒（５）に、少なくとも係止突条（６）から下端縁にかけて形成され、周方向に沿って間隔を置いて複数割溝（９）を配設した請求項１記載のヒンジキャップ。
【請求項４】
係止突条（６）を、欠部（１９）を設けることにより、断続状とした請求項１または２記載のヒンジキャップ。
【請求項５】
連結片（７）の上の位置に、弱化部（８）の第二欠部（１１）を設けた請求項１、２、３または４記載のヒンジキャップ。
【請求項６】
弱化部（８）を、係止突条（６）の高さ位置付近に設けた請求項１、２、３または４記載のヒンジキャップ。
【請求項７】
連結片（７）の側端に近接した係止突条（６）の箇所に欠部（１９）を位置させ、該欠部（１９）が位置する外筒（５）部分を、容易に破断できる肉厚にした請求項４、５または６記載のヒンジキャップ。
【発明の詳細な説明】
【０００１】
【発明の属する技術分野】
本発明は、容器口部から容易に取外すことができる、分別回収に適した合成樹脂製のヒンジキャップに関するものである。
【０００２】
【従来の技術】
資源リサイクルのため、壜等の容器においては、構成部材を材種毎に分別回収することが要求されており、容器本体と異なる材種の注出キャップを組付けた容器では、廃棄時に注出キャップを取外す必要がある。
【０００３】
ところが、注出キャップは、商品の流通時あるいは使用時に、妄りに外れることがないよう、容器口部に強固に組付き固定されているため、廃棄時に注出キャップを、容器から取外すことは容易ではない。
【０００４】
この点を改善するために、図１１に示した従来のヒンジキャップは、キャップ本体５１の外筒５５に、打栓によって容器口部外周面に設けられた係止あご部５９に、強固にアンダーカット結合する係止突条５６を備え、外筒５５の下端部の外周を囲う指掛け用のリング体５３を、破断不能な連結片５７、および破断可能な複数のブリッジ５８を介して連結している。
【０００５】
このヒンジキャップでは、ブリッジ５８を破断してリング体５３を引起し、リング体５３に指を掛けて強く引張ると、連結片５７が連結された箇所の外筒５５が撓み変形して、この箇所の係止突条５６と係止あご部５９とのアンダーカット結合が解除され、更に引張り続けると、この箇所から周方向に沿ってアンダーカット結合が連鎖的に解除されていき、アンダーカット結合が半周以上解除された時点でキャップ本体５１が容器口部から取外される（例えば、特許文献１参照）。
【０００６】
【特許文献１】
特開２０００−２５５６１５号公報
【０００７】
【発明が解決しようとする課題】
このヒンジキャップにおいては、小片状部材である連結片５７、あるいはブリッジ５８を介して、外筒５５の外周面からわずかに突出して連結されたリング体５３を手掛かりとして、リング体５３の引起し操作を行うため、リング体５３に力を作用させ難いと共に、指先の力を大きく要し、操作性が良好ではない、と云う問題がある。
【０００８】
また、このヒンジキャップは、外筒５５の肉厚を、容器口部への強固な組付き固定が確保できる値に設定しているので、引張り操作に便利な指掛け用のリング体５３を用いて、連結片５７が連結された箇所の外筒５５に力を作用させるにしても、アンダーカット結合が解除される程に外筒５５を撓み変形させるには相当の力を要し、このためヒンジキャップの分別が容易に達成できるとは限らない、と云う問題がある。
【０００９】
そこで、本発明は上記した問題を解決するために創案されたもので、キャップの取外しを補助するためのリング体を一体設したヒンジキャップにおいて、リング体の引起し操作を容易にすること、およびキャップの容器口部への強固な組付き固定を確保しつつ、取外しに際して外筒を容易に撓み変形させることができるようにすることを技術的課題とし、もって容器口部から容易に取外すことができる、分別回収に適した合成樹脂製のヒンジキャップを提供することを目的とする。
【００１０】
【課題を解決するための手段】
上記課題を解決する本発明の内、請求項１記載の発明の手段は、
容器口部の外周面に突周設した係止あご部にアンダーカット結合する係止突条を、内周面下端部に突周設した外筒と、容器口部に密嵌入する内筒を備え、容器口部に密に組付いて注出口を形成するキャップ本体を有すること、
キャップ体の外筒に、この外筒の前側外周面の下端部に破断不能に設けた連結片および、外筒の外周面に破断可能に設けた弱化部を介して連設され、外筒を間に隙間を位置させて囲むリング体を有すること、
このリング体の後側上端部に、ヒンジを介して一体設された蓋体を有すること、ヒンジに近接する位置に弱化部の第一欠部を設けること、
キャップ本体が容器口部に組付いた状態で、外筒とリング体とが当接もしくは近接すること、
容器口部に対する外筒の組付きを、人手による蓋体の強引な引上げ操作により取外し可能としたこと、
にある。
【００１１】
請求項１記載の発明にあっては、ヒンジキャップは、キャップ本体の外筒の内周面下端部に突周設した係止突条が、容器口部の外周面に突周設した係止あご部にアンダーカット結合することにより、容器口部に組付き固定するが、外筒の容器口部に対する組付き強度は、人手による蓋体の強引な引上げ操作により取外しが可能となっているので、商品の流通時あるいは使用時に不慮の力が加えられて、容器口部に対する外筒の組付きが妄りに外れることがないように、外筒にリング体を当接もしくは近接させ、これにより外筒の撓み変形を拘束し、容器口部に対する外筒の強固な組付き固定を確保している。
【００１２】
ヒンジキャップの容器口部からの取外しに際して、開放姿勢とした蓋体を把持して引上げると、弱化部の破断開始箇所となるヒンジに近接する位置に、第一欠部を設けて弱化部の自由端を形成することにより、この自由端に引張力を確実に集中させて、弱化部の破断を円滑、容易に開始することが可能となるので、ヒンジ側から順次周方向に沿って弱化部を破断しながらリング体が引起こされる。
【００１３】
リング体を引起すための蓋体の引上げ操作は、リング体とヒンジを介して一体設され、把持するのに手頃な大きさ・形状を有した蓋体を把持して行われるので、リング体に力を作用させ易いので、リング体の引起しを容易に達成することができる。この際、連結片は係止突条に近接して位置しているので、外筒に対する取外し力を、外筒の容器口部に対する組付きの主体部分である係止突条に略直接作用させることができ、これによりヒンジキャップの容器口部からの取外しを、無理なく効率良く達成することができる。
【００１４】
リング体の引起しにより、外筒はリング体による撓み変形の拘束が解除されるので、引続き蓋体を強く引上げると、外筒の容器口部に対する組付きは、人手による蓋体の強引な引上げ操作により取外しが可能となっているので、ヒンジキャップを容器口部から容易に取外すことができる。
【００１５】
なお、連結片の設置箇所は、ヒンジの反対側となる前側位置に設けるのが、弱化部の破断動作からすると望ましいのであるが、必ずしもこれに限定されることはなく、蓋体を引上げて弱化部を破断する動作の邪魔とならない、前半分の前側部分であれば何所でも良い。
【００１６】
請求項２記載の発明の手段は、請求項１記載の発明の構成に、外筒の肉厚を、強い引上げ力が作用すると、係止突条と係止あご部のアンダーカット結合を解除させる程度の撓み変形可能な値に設定した、ものである。
【００１７】
請求項２記載の発明にあっては、外筒の肉厚を設定するだけで、容器口部に対する外筒の組付き強度を所望程度に設定することができるので、その組付き強度設定がきわめて簡単に達成することができる。
【００１８】
請求項３記載の発明の手段は、請求項１記載の発明の構成の外筒に、少なくとも係止突条から下端縁にかけて形成され、周方向に沿って間隔を置いて複数割溝を配設した、ものである。
【００１９】
請求項３記載の発明にあっては、外筒に設ける割溝の個数、大きさ、配置を適宜に設定することにより、外筒に所望の組付き強度を付与することが容易となり、またヒンジキャップを容器口部に組付ける際に、ヒンジキャップの外筒と内筒との間に位置している空気を、割溝を通して速やかに排気させることができるので、容器口部に対するヒンジキャップの組付きを、適正で安定したものとすることができる。
【００２０】
請求項４記載の発明の手段は、請求項１または２記載の発明の構成に、係止突条を、欠部を設けることにより、断続状としたこと、を加えたものである。
【００２１】
請求項４記載の発明にあっては、係止突条を断続状とすることにより、係止突条自体の発揮する延び変形阻止力が減少し、その分、外筒の拡径変形が容易となるので、外筒の容器口部に対するアンダーカット結合力が低下し、またヒンジキャップを容器口部に組付ける際に、ヒンジキャップの外筒と内筒との間に位置している空気を、欠部を通して速やかに排気させることができるので、容器口部に対するヒンジキャップの組付きを、適正で安定したものとすることができる。
【００２４】
請求項５記載の発明の手段は、請求項１、２、３または４記載の発明の構成に、連結片の上の位置に、弱化部の第二欠部を設けたこと、を加えたものである。
【００２５】
請求項５記載の発明にあっては、連結片の上の位置に、弱化部の第二欠部を設けることにより、連結片と弱化部とが上下に重なることがない構造となるので、この上下方向を金型の型開き方向とすることにより、ヒンジキャップを、通常の射出成形手法により、簡単に成形することができる。
【００２６】
請求項６記載の発明の手段は、請求項１、２、３または４記載の発明の構成に、弱化部を、係止突条の高さ位置付近に設けたこと、を加えたものである。
【００２７】
この請求項６記載の発明にあっては、弱化部が、容器口部に対するキャップ本体の組付きの主体部分である係止突条に近接して位置するので、外筒側が容器口部に強固に組付いて不動となっているので、その破断を容易に簡単に達成でき、る。
【００２８】
請求項７記載の発明の手段は、請求項４、５または６記載の発明の構成に、連結片の側端に近接した係止突条の箇所に欠部を位置させ、この欠部が位置する外筒部分を、容易に破断できる肉厚にしたこと、を加えたものである。
【００２９】
この請求項７記載の発明にあっては、キャップ本体の外筒に、連結片を介して引上げ力を作用させると、この引上げ力は、他の外筒部分に比べて破断し易い肉厚となっている部分、すなわち連結片の側端に近接した欠部が位置する外筒部分に集中して作用し、この欠部が位置した外筒部分を容易に破断するので、容器口部からのヒンジキャップの取外しを簡単に達成することができ、またヒンジキャップを容器口部に組付ける際に、ヒンジキャップの外筒と内筒との間に位置している空気を、欠部を通して速やかに排気させることができるので、容器口部に対するヒンジキャップの組付きを、適正で安定したものとすることができる。
【００３０】
【発明の実施の形態】
以下に、本発明のヒンジキャップの実施形態を、図面を参照しながら説明する。
図１は、第一実施形態の斜視図を示し、ヒンジキャップは、キャップ本体１と、このキャップ本体１を囲む円筒状のリング体３と、このリング体３の後側上端にヒンジ４を介して一体設された蓋体２とから構成されている。
【００３１】
図２（１）は、開状態の縦断側面図を、図２（２）は、キャップ本体１とリング体３との組合せ物の縦断正面図を示すものである。
【００３２】
キャップ本体１は、容器口部３１に外嵌する外筒５の上端に、内鍔リング状の頂壁１４を介して上方に拡径した円筒状の注出筒１３を立設し、この注出筒１３の下端に注出口が開設される底壁１２を連設し、注出筒１３を囲んで、閉蓋時に蓋体２を係止する、高さの低い係止筒１６を立設し、更に頂壁１４の下面に容器口部３１に密嵌入する内筒１５を垂下設して構成されている。
【００３３】
底壁１２の下面には、注出口開設箇所を区画する薄肉ループ状のスコア１７が形成され、このスコア１７の内側における底壁１２の上面には、注出口の開設時に引上げるプルリング１８が一体設されている。
【００３４】
外筒５は、その下端部の内周面に、容器口部３１の外周面に突周設した係止あご部３２にアンダーカット結合する係止突条６を突周設し、その肉厚を、強い引上げ力が作用すると、係止突条６と係止あご部３２とのアンダーカット結合を解除させる程度に撓み変形可能な値に設定している。
【００３５】
外筒５の前側の下端部には、図２（１）および図３に示す通り、この外筒５を囲むリング体３が破断不能な連結片７を介して、間に隙間を位置させて連設されている。
【００３６】
また、リング体３は、肉薄に成形された肉薄部８ａから成る破断可能な弱化部８を介して、外筒５の上端部に連設されており、弱化部８は、ヒンジ４に近接する後側位置に第一欠部１０を、また連結片７の上方位置に第二欠部１１を設けている。
【００３７】
なお、図６に示す通り、破断し易いブリッジ８ｂを外筒５の上端部外周面に周方向に間隔をおいて複数配列することにより弱化部８を形成しても良く、この場合も、弱化部８には、ヒンジ４に近接する後側位置に第一欠部１０を、また連結片７の上方位置に第二欠部１１を設けるのが良い。
【００３８】
ヒンジキャップを、容器口部３１に、打栓により組付けすると、図４に示す通り、係止突条６が係止あご部３２を乗越えてアンダーカット結合し、かつ外筒５の下端部が若干拡径してリング体３と当接する。
【００３９】
次に、内容物使用後の廃棄時の、ヒンジキャップを容器口部３１から取外す、分別の手順を、図５に従って説明する。
【００４０】
図５（１）に示すように、先ず開放姿勢とした蓋体２を把持して引上げると、この操作により、ヒンジ４側から順次周方向に沿って弱化部８を破断しながら、リング体３が引起こされていき、図５（２）に示す通り、弱化部８が全て破断されて、リング体３が連結部７だけで外筒５と連結された状態となった後、蓋体２を強く引上げる。
【００４１】
蓋体２を引上げる力は、連結部７が連結している外筒５の下端部に集中的に作用し、図５（３）に示すように、この箇所が外側に撓み変形して、係止突条６と係止あご部３２とのアンダーカット結合が解除され、さらに蓋体２を引上げ続けると、連結片７が連結された箇所から周方向に沿ってアンダーカット結合が連鎖的に解除されていき、アンダーカット結合が半周以上解除されたところで、ヒンジキャップは容器口部３１から引外される。
【００４２】
図７は、本発明の第二実施形態を示すもので、第一実施形態において外筒５を肉薄に成形するのに代えて、外筒５の係止突条６から下端縁にかけての部分に、周方向に沿って間隔を置いて複数の割溝９を設けることにより、係止突条６と係止あご部３２とのアンダーカット結合を容易に解除できる程度に、外筒５を撓み変形可能としたものである。
【００４３】
図８は、本発明の第三実施形態を示すもので、間隔を置いて複数の欠部１９を設けることにより、係止突条６を断続状に構成し、これにより係止突条６全体での引張りに対する抗力を減少させ、外筒５単体の場合における、係止突条６の係止あご部３２に対するアンダーカット結合力を低下させたものである。
【００４４】
この欠部９は、係止突条６全体の引張りに対する抗力を減少させるものであるので、多数を要することはなく、２〜５個程度で充分である。
【００４５】
図９は、本発明の第四実施形態を示すもので、係止突条６を外筒５の下端部に設けると共に、連結片７および弱化部８を、係止突条６の高さ位置付近である外筒５とリング体３の下端間に設けて構成したもので、弱化部８の破断が安定して容易に達成でき、かつリング体３と外筒５とを一体に連結する連結片７および弱化部８を、共にリング体３と外筒５の下端間に設けたので、ヒンジキャップ成形のための射出成形金型の構造を簡単なものとすることができる。
【００４６】
図１０は、本発明の第五実施形態を示すもので、連結片７の両側端に近接して係止突条６の欠部１９を位置させ、この欠部１９が位置する外筒５部分を、容易に破断できる肉厚にしたもので、蓋体２の引上げにより、全ての弱化部８を破断した後、さらに蓋体２を引上げると、この欠部１９が位置した外筒５部分に引上げ力が破断力として集中して作用し、これによりこの外筒５部分を簡単に破断するので、キャップ本体１容器口部３１からの分離を容易に達成する。
【００４７】
本発明のヒンジキャップは安価で、成形性に優れ、かつ適度な変形性を有する材料が好ましく、かかる材料としてポリエチレン、またはポリプロピレンが適当であり、また本発明に適用できる容器は特に限定はなく、例えばペットボトル等の合成樹脂製の容器、ガラス製の容器等いずれにも好適に使用できる。
【００４８】
【発明の効果】
本発明は、上記のように構成したので、以下に示す効果を奏する。
請求項１記載の発明にあっては、リング体とヒンジを介して一体設され、把持するのに手頃な大きさ・形状を有した蓋体を取扱うことにより、リング体の引起しを容易に達成することができる。
【００４９】
また、キャップ本体の容器口部に対する組付き強度を、人手による蓋体の引上げ操作により取外しができる程度に設定しながらも、外筒下端部にリング体を当接させて撓み変形を拘束したので、容器口部に対する強固な組付き固定を確保しつつ、分別回収時には、蓋体を引上げて、弱化部を円滑、容易に破断し、リング体による拘束を解除してから、更に蓋体を引上げるので、キャップを容器口部から容易に取外すことができ、キャップの分別を簡単に達成することができる。
【００５０】
請求項２記載の発明にあっては、外筒の肉厚を適宜に設定するだけの簡単な構成により、キャップ本体に所望の組付き強度を付与することができる。
【００５１】
請求項３記載の発明にあっては、外筒に設ける割溝の個数、大きさ、配置を適宜に設定することにより、外筒単体での容器口部に対する組付き強度を、簡単にかつ確実に一定以下に設定することができ、これによりキャップの容易な取外しを確実に得ることができる。
【００５２】
請求項４記載の発明にあっては、係止突条を断続状とすることにより、容器口部に対する外筒の組付き強度を適当に低下させることができ、これによりキャップの取外しをより容易に達成することができる。
【００５４】
請求項５記載の発明にあっては、連結片と弱化部とが上下に重なることのない構造となり、通常の射出成形手段により、ヒンジキャップを無理なく簡単に成形することが可能となる。
【００５５】
請求項６記載の発明にあっては、外筒側が容器口部に強固に組付いて不動となっているので、弱化部の破断を容易に簡単に達成でき、また外筒に対する取外し力を、外筒の容器口部に対する組付きの主体部分である係止突条に略直接作用させることができ、これによりヒンジキャップの容器口部からの取外しを、無理なく効率良く達成することができる。
【００５６】
請求項７記載の発明にあっては、キャップ本体の外筒に、連結片を介して作用した引上げ力は、他の外筒部分に比べて破断し易い肉厚となっている部分、すなわち連結片の側端に対向する欠部が位置する外筒部分に集中して作用し、この欠部が位置した外筒部分を容易に破断するので、容器口部からのヒンジキャップの取外しを簡単に達成することができる。
【図面の簡単な説明】
【図１】  本発明の第一実施形態を示す、全体外観斜視図。
【図２】  図１に示した第一実施形態の、（１）は開状態の縦断側面図、（２）はキャップ本体の縦断正面図。
【図３】  図２（１）中、ａ―ａ線に沿って切断矢視した平断面図。
【図４】  図１に示した第一実施形態の、容器口部に組付けた状態の縦断正面図。
【図５】  図１に示した第一実施形態の、容器口部から取外す手順を示す説明図。
【図６】  図１に示した第一実施形態の、弱化部の他の実施例を示す斜視図。
【図７】  本発明の第二実施形態を示す、キャップ本体の不規則縦断正面図。
【図８】  本発明の第三実施形態を示す、キャップ本体の不規則縦断正面図。
【図９】  本発明の第四実施形態を示す、キャップ本体の縦断正面図。
【図１０】  本発明の第五実施形態を示す、キャップ本体の底面図。
【図１１】  従来例を示す図で、（１）は縦断面図、（２）は一部を破断した平面図。
【符号の説明】
１  ；  キャップ本体
２  ；  蓋体
３  ；  リング体
４  ；  ヒンジ
５  ；  外筒
６  ；  係止突条
７  ；  連結片
８  ；  弱化部
８ａ；  肉薄部
８ｂ；  ブリッジ
９  ；  割溝
１０；  第一欠部
１１；  第二欠部
１２；  底壁
１３；  注出筒
１４；  頂壁
１５；  内筒
１６；  係止筒
１７；  スコア
１８；  プルリング
１９；  欠部
３１；  容器口部
３２；  係止あご部
５１；  キャップ本体
５２；  蓋体
５３；  リング体
５４；  ヒンジ
５５；  外筒
５６；  係止突条
５７；  連結片
５８；  ブリッジ
５９；  係止あご部
【図１】
0004655259.tif 000002
【図２】
0004655259.tif 000003
【図３】
0004655259.tif 000004
【図４】
0004655259.tif 000005
【図５】
0004655259.tif 000006
【図６】
0004655259.tif 000007
【図７】
0004655259.tif 000008
【図８】
0004655259.tif 000009
【図９】
0004655259.tif 000010
【図１０】
0004655259.tif 000011
【図１１】
0004655259.tif 000012